(57)【要約】【課題】エネルギーサブトラクション撮影用の管電圧を試行錯誤して求める必要がなく、エネルギーサブトラクション撮影にかかる時間の大幅な短縮を図る。【解決手段】通常撮影時において放射線源に供給した管電圧の撮影部位毎の実績値が登録された実績値情報テーブルと、該実績値情報テーブルからエネルギーサブトラクション撮影での撮影部位と同じ撮影部位の実績値を読み出し、読み出された実績値に基づいて、エネルギーサブトラクション撮影時に放射線源に供給する第１管電圧Ｖ１を算出する管電圧算出部７２と、該管電圧算出部７２にて読み出された実績値（第２管電圧Ｖ２）と、算出された第１管電圧Ｖ１とに基づいて被写体に対して放射線照射を行う放射線源制御部１７とを有する。【選択図】図５
2010081977.tif 000002
【特許請求の範囲】
【請求項１】
被写体に対して通常撮影のためのエネルギー分布を有する放射線とエネルギーサブトラクション撮影のためのエネルギー分布を有する放射線を照射して少なくとも２種類の放射線画像情報を取得し、各放射線画像情報間で重み付けをした上で減算処理を行って通常撮影画像と特定の物体の抽出画像を得る放射線撮影システムであって、
通常撮影時において放射線源に供給した管電圧の撮影部位毎の実績値が記憶された記憶部と、
前記撮影部位毎の実績値から前記エネルギーサブトラクション撮影での撮影部位と同じ撮影部位の実績値を読み出し、読み出された前記実績値に基づいて、前記エネルギーサブトラクション撮影時に放射線源に供給する管電圧を算出する管電圧算出部と、
前記管電圧算出部にて読み出された前記実績値と、算出された前記管電圧とに基づいて前記被写体に対して放射線照射を行う放射線源制御部とを有することを特徴とする放射線撮影システム。
【請求項２】
請求項１記載の放射線撮影システムにおいて、
前記管電圧算出部は、
前記撮影部位毎の実績値に、前記エネルギーサブトラクション撮影での撮影部位に対応する実績値が存在しない場合、予め設定された前記撮影部位に対応する電圧値を実績値として読み出し、該実績値に基づいて、前記エネルギーサブトラクション撮影時に放射線源に供給する管電圧を算出することを特徴とする放射線撮影システム。
【請求項３】
請求項１又は２記載の放射線撮影システムにおいて、
撮影前に、エネルギーサブトラクション撮影での撮影部位に関する情報を入力する入力手段を有することを特徴とする放射線撮影システム。
【請求項４】
請求項１〜３のいずれか１項に記載の放射線撮影システムにおいて、
前記記憶部に記憶された前記撮影部位毎の実績値は、さらに、少なくとも前記通常撮影時において使用された放射線源を特定する識別情報と関連付けされて記憶されていることを特徴とする放射線撮影システム。
【請求項５】
請求項１〜４のいずれか１項に記載の放射線撮影システムにおいて、
前記記憶部に記憶された前記撮影部位毎の実績値は、さらに、少なくとも前記通常撮影時において撮影された被写体を特定する識別情報と関連付けされて記憶されていることを特徴とする放射線撮影システム。
【請求項６】
請求項１〜５のいずれか１項に記載の放射線撮影システムにおいて、
前記記憶部に記憶された前記撮影部位毎の実績値は、さらに、少なくとも前記通常撮影の従事者を特定する識別情報と関連付けされて記憶されていることを特徴とする放射線撮影システム。
【請求項７】
請求項４記載の放射線撮影システムにおいて、
前記撮影部位毎の実績値から、少なくとも前記エネルギーサブトラクション撮影での撮影部位及び放射線源と同じ撮影部位及び放射線源に対応する実績値を読み出し、読み出された前記実績値に基づいて、前記エネルギーサブトラクション撮影時に放射線源に供給する管電圧を算出することを特徴とする放射線撮影システム。
【請求項８】
請求項５記載の放射線撮影システムにおいて、
前記撮影部位毎の実績値から、少なくとも前記エネルギーサブトラクション撮影での撮影部位及び被写体と同じ撮影部位及び被写体に対応する実績値を読み出し、読み出された前記実績値に基づいて、前記エネルギーサブトラクション撮影時に放射線源に供給する管電圧を算出することを特徴とする放射線撮影システム。
【請求項９】
請求項６記載の放射線撮影システムにおいて、
前記撮影部位毎の実績値から、少なくとも前記エネルギーサブトラクション撮影での撮影部位及び従事者と同じ撮影部位及び従事者に対応する実績値を読み出し、読み出された前記実績値に基づいて、前記エネルギーサブトラクション撮影時に放射線源に供給する管電圧を算出することを特徴とする放射線撮影システム。
【請求項１０】
請求項１〜９のいずれか１項に記載の放射線撮影システムにおいて、
前記管電圧算出部は、
前記エネルギーサブトラクション撮影での撮影部位と同じ撮影部位の実績値が２種類以上ある場合に、予め設定された優先度に従って１つの実績値を選択して読み出すことを特徴とする放射線撮影システム。
【請求項１１】
請求項１０記載の放射線撮影システムにおいて、
前記管電圧算出部は、
前記２種類以上の実績値から１つの実績値を選択するにあたって、
前記優先度の低い特定情報が指定され、前記優先度の高い特定情報が指定されていない場合に、前記優先度の高い特定情報の指定を促す表示を行うことを放射線撮影システム。
【発明の詳細な説明】
【技術分野】
【０００１】
本発明は、被写体に対して通常撮影のためのエネルギー分布を有する放射線とエネルギーサブトラクション撮影のためのエネルギー分布を有する放射線を照射して少なくとも２種類の放射線画像情報を取得し、各放射線画像情報間で重み付けをした上で減算処理を行って通常撮影画像と特定の物体の抽出画像を得る放射線撮影システムに関する。
【背景技術】
【０００２】
一般に、通常撮影（放射線源の管電圧が１種類である撮影）での管電圧の設定は、以下のように、撮影部位によって異なる。
胸部：１２０ｋＶ
腰椎：８０ｋＶ
四肢：５０ｋＶ
【０００３】
一方、エネルギーサブトラクション撮影（放射線源の管電圧が２種類である撮影）での管電圧の設定は、以下の条件から定まる。
【０００４】
条件（１）：複数の管電圧（高電圧と低電圧）が必要である。
条件（２）：高電圧と低電圧のうち、どちらかは読影に使う目的で通常撮影の管電圧と同じである。
条件（３）：高電圧と低電圧との電圧差は大きい方が、骨部の画像（骨部画像）と軟部組織の画像（軟部画像）とが明瞭になるため（分離がよい）、できるだけ大きくしたい。但し、画像処理にて骨部画像と軟部画像を明瞭にすることができるため、条件（１）及び（２）よりは優先度が低い。また、高電圧は放射線源に供給できる電圧の制限から上限がある。
【０００５】
これら条件（１）〜（３）から、エネルギーサブトラクション撮影での管電圧は以下のようになる。
胸部：６０ｋＶ、１２０ｋＶ
腰椎：８０ｋＶ、１２０ｋＶ
四肢：５０ｋＶ、１２０ｋＶ
【０００６】
この中で、胸部の１２０ｋＶ、腰椎の８０ｋＶ、四肢の５０ｋＶは、条件（２）から決まる。また、胸部の６０ｋＶ、腰椎の１２０ｋＶ、四肢の１２０ｋＶは、条件（３）から決まる。
【０００７】
エネルギーサブトラクション撮影で得られた放射線画像は以下の２種類の画像であって、医師は両方を見て診断する。
【０００８】
（ａ）通常撮影と同じ電圧で撮影した放射線画像：骨部と軟部組織を見る。
【０００９】
（ｂ）加重減算処理を行った後の骨部画像又は軟部画像：骨部又は軟部組織を集中的に見て診断する。
【００１０】
上述の管電圧の例は、あくまでも平均的な電圧であって、実際には、各施設／各技師／各医師（読影医を含む）／各放射線源等によって異なる。これは、医師や技師の画像の好み、放射線源や放射線検出器の特性により最適電圧が変化すること等による。
【００１１】
現在、通常撮影は広く行われ、実績があることから、管電圧の最適値は技師によって設定されている。しかし、エネルギーサブトラクション撮影は、通常撮影ほど行われていないことから、実績が少なく、技師は管電圧の最適値を探さなくてはならないという問題がある。最適値を探す方法は、例えばファントム（人体等の被写体を模した人工物）を被写体として用い、管電圧を変更して多数のテスト撮影を行い、試行錯誤しつつ最適値を見つける作業となるため、多くの時間を要し、エネルギーサブトラクション撮影の普及の阻害要因となる。
【００１２】
従来では、特許文献１にあるように、エネルギーサブトラクション撮影時の管電圧について、エネルギーの高い撮影では、複数段階にわたって管電圧を変化させながら切り替えて照射し、エネルギーの低い撮影では、１回だけ管電圧を設定して照射するようにしている。
【００１３】
【特許文献１】特開２００７−２２２３１１号公報
【発明の開示】
【発明が解決しようとする課題】
【００１４】
しかしながら、特許文献１記載の技術は、エネルギーサブトラクション撮影で得られた放射線画像は高画質で好ましいが、その代償として、通常撮影で得られた放射線画像は読影に適したものでなくなり、必要な医療情報を得ることができないという問題がある。
【００１５】
本発明はこのような課題を考慮してなされたものであり、エネルギーサブトラクション撮影用の管電圧を試行錯誤して求める必要がなく、エネルギーサブトラクション撮影にかかる時間の大幅な短縮を図ることができ、しかも、通常撮影で得られた放射線画像とエネルギーサブトラクション撮影で得られた放射線画像の画質を同レベルまで高めることができ、必要な医療情報を得ることができる放射線撮影システムを提供することを目的とする。
【課題を解決するための手段】
【００１６】
本発明に係る放射線撮影システムは、被写体に対して通常撮影のためのエネルギー分布を有する放射線とエネルギーサブトラクション撮影のためのエネルギー分布を有する放射線を照射して少なくとも２種類の放射線画像情報を取得し、各放射線画像情報間で重み付けをした上で減算処理を行って通常撮影画像と特定の物体の抽出画像を得る放射線撮影システムであって、通常撮影時において放射線源に供給した管電圧の撮影部位毎の実績値が記憶された記憶部と、前記撮影部位毎の実績値から前記エネルギーサブトラクション撮影での撮影部位と同じ撮影部位の実績値を読み出し、読み出された前記実績値に基づいて、前記エネルギーサブトラクション撮影時に放射線源に供給する管電圧を算出する管電圧算出部と、前記管電圧算出部にて読み出された前記実績値と、算出された前記管電圧とに基づいて前記被写体に対して放射線照射を行う放射線源制御部とを有することを特徴とする。
【発明の効果】
【００１７】
以上説明したように、本発明に係る放射線撮影システムは、エネルギーサブトラクション撮影用の管電圧を試行錯誤して求める必要がなく、エネルギーサブトラクション撮影にかかる時間の大幅な短縮を図ることができる。しかも、通常撮影で得られた放射線画像とエネルギーサブトラクション撮影で得られた放射線画像の画質とを同レベルまで高めることができ、必要な医療情報を得ることができる。
【発明を実施するための最良の形態】
【００１８】
以下、本発明に係る放射線撮影システムの実施の形態例を図１〜図１４を参照しながら説明する。なお、説明を簡単にするために、撮影部位として、「胸部」、「腰椎」及び「四肢」を挙げるが、これに限定されるものではない。
【００１９】
本実施の形態に係る放射線撮影システム１０は、図１に示すように、被写体１２に放射線Ｘを照射する放射線源１４と、通常撮影とエネルギーサブトラクション撮影（エネサブ撮影）での管電圧を設定する管電圧設定部１６と、設定された管電圧、管電流、照射時間等の撮影条件に基づいて放射線源１４を制御する放射線源制御部１７と、被写体１２を透過した放射線Ｘを電荷情報に変換して放射線画像情報とする放射線検出器１８を有する放射線検出装置２０と、放射線検出器１８によって検出された放射線画像情報に対して画像処理を施す画像処理部２２と、画像処理部２２によって処理された放射線画像情報をモニタ２４に表示する表示制御部２６と、マウスやタッチパネル等の座標入力装置及びキーボード等を有する入力装置２８と、これら各部を制御するコンソール３０とを備える。
【００２０】
放射線検出器１８は、例えば図２に示すように、センサ基板３８と、ゲート線駆動回路４４と、信号読出回路４６と、ゲート線駆動回路４４及び信号読出回路４６を制御するタイミング制御回路４８とを備える。
【００２１】
センサ基板３８は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、発生した電荷を蓄積容量５３に蓄積した後、各行毎にＴＦＴ５２を順次オンにして、電荷を画像信号として読み出す。図２では、光電変換層５１及び蓄積容量５３からなる１つの画素５０と１つのＴＦＴ５２との接続関係のみを示し、その他の画素５０の構成については省略している。なお、アモルファスセレンは、高温になると構造が変化して機能が低下してしまうため、所定の温度範囲内で使用する必要がある。各画素５０に接続されるＴＦＴ５２には、行方向と平行に延びるゲート線５４と、列方向と平行に延びる信号線５６とが接続される。各ゲート線５４は、ゲート線駆動回路４４に接続され、各信号線５６は、信号読出回路４６に接続される。
【００２２】
被写体１２に対する放射線Ｘの照射は、図３Ａ及び図３Ｂに示すように、放射線源制御部１７は、被写体１２に対して１回目と２回目とで所定時間を置いてそれぞれエネルギーの異なる放射線（第１放射線Ｘａ及び第２放射線Ｘｂ）を照射する。ここで、第１放射線Ｘａのエネルギー＜第２放射線Ｘｂのエネルギーとする。この場合、放射線検出装置２０は、被写体１２を透過した１回目の第１放射線Ｘａ（低エネルギー）を電荷情報に変換して第１放射線画像情報Ｓ1を取得し（図３Ａ参照）、さらに、被写体１２を透過した２回目の第２放射線Ｘｂ（高エネルギー）を電荷情報に変換して第２放射線画像情報Ｓ2を取得する（図３Ｂ参照）。
【００２３】
上述の第１放射線画像情報Ｓ1及び第２放射線画像情報Ｓ2は、放射線検出装置２０から無線あるいはケーブルにて画像処理部２２に転送（送信）される。
【００２４】
画像処理部２２は、少なくとも第１放射線画像情報Ｓ1及び第２放射線画像情報Ｓ2が記録される画像メモリ６０と、高エネルギーの第２放射線Ｘｂによる第２放射線画像情報Ｓ2を通常撮影の放射線画像（通常画像）としてモニタ２４に表示する通常画像表示部６２と、第１放射線画像情報Ｓ1と第２放射線画像情報Ｓ2との加重減算処理を行ってエネサブ撮影の放射線画像（エネサブ画像Ｓｄ）を得る加重減算処理部６４と、得られたエネサブ画像Ｓｄをモニタ２４に表示するエネサブ画像表示部６６とを有する。
【００２５】
そして、管電圧設定部１６は、図５に示すように、データメモリ７０と管電圧算出部７２と管電圧出力部７４とを有する。
【００２６】
データメモリ７０には、いままで行われた通常撮影において放射線源１４に供給した管電圧の撮影部位毎の実績値が登録された実績値テーブル８０と、撮影部位毎のデフォルト値が登録されたデフォルトテーブル８２と、撮影部位毎の電圧差が登録された電圧差テーブル８４と、優先度が設定された優先度テーブル８６とが格納されている。
【００２７】
管電圧算出部７２は、実績値テーブル８０からエネサブ撮影での撮影部位と同じ撮影部位の実績値を読み出し、読み出した実績値に基づいて、エネサブ撮影時に放射線源１４に供給する管電圧を算出する。
【００２８】
ここで、実績値テーブル８０の種類と各内訳、並びにデフォルトテーブル８２、電圧差テーブル８４及び優先度テーブル８６の各内訳について図６〜図１２を参照しながら説明する。
【００２９】
先ず、実績値テーブル８０は、管別実績値テーブル８０Ａ（図６参照）、患者別実績値テーブル８０Ｂ（図７参照）、技師別実績値テーブル８０Ｃ（図８参照）及び医師別実績値テーブル８０Ｄ（図９参照）を有する。
【００３０】
管別実績値テーブル８０Ａは、図６に示すように、撮影部位毎に用意され、胸部用の管別実績値テーブル８０Ａａ、腰椎用の管別実績値テーブル８０Ａｂ、四肢用の管別実績値テーブル８０Ａｃを有する。各管別実績値テーブル８０Ａａ〜８０Ａｃは、使用される放射線源１４の種類に応じた数のレコードを有し、各レコードには、放射線源１４を特定する識別コードＤａ１、Ｄａ２、・・・と、その放射線源１４での通常撮影にて使用された１以上の放射線検出器１８を特定する識別コードＤｂ１、Ｄｂ２、・・・と、放射線検出器１８毎に、通常撮影を行ったときの管電圧（実績値）とその回数（頻度）が登録されている。これは、腰椎用の管別実績値テーブル８０Ａｂ、四肢用の管別実績値テーブル８０Ａｃにおいても同様である。
【００３１】
患者別実績値テーブル８０Ｂも、図７に示すように、撮影部位毎に用意され、胸部用の患者別実績値テーブル８０Ｂａ、腰椎用の患者別実績値テーブル８０Ｂｂ、四肢用の患者別実績値テーブル８０Ｂｃを有する。各患者別実績値テーブル８０Ｂａ〜８０Ｂｃは、通常撮影を行った患者数に応じた数のレコードを有し、各レコードには、患者を特定する識別コードＤｃ１、Ｄｃ２、・・・と、放射線源１４を特定する識別コードＤａ１、Ｄａ２、・・・と、その放射線源１４での通常撮影にて使用された１以上の放射線検出器１８を特定する識別コードＤｂ１、Ｄｂ２、・・・と、放射線検出器１８毎に、通常撮影を行ったときの管電圧（実績値）が登録されている。これは、腰椎用の患者別実績値テーブル８０Ｂａ、四肢用の患者別実績値テーブル８０Ｂｃにおいても同様である。
【００３２】
技師別実績値テーブル８０Ｃも上述した患者別実績値テーブル８０Ｂと同様の内訳を有し、異なるのは、患者を特定する識別コードＤｃ１、Ｄｃ２、・・・の代わりに技師を特定する識別コードＤｄ１、Ｄｄ２、・・・が登録され、放射線検出器１８毎に、通常撮影を行ったときの管電圧（実績値）が登録されている。
【００３３】
医師別実績値テーブル８０Ｄも上述した患者別実績値テーブル８０Ｂと同様の内訳を有し、異なるのは、患者を特定する識別コードＤｃ１、Ｄｃ２、・・・の代わりに医師を特定する識別コードＤｅ１、Ｄｅ２、・・・が登録され、放射線検出器１８毎に、通常撮影を行ったときの管電圧（実績値）が登録されている。
【００３４】
一方、デフォルトテーブル８２は、図１０に示すように、撮影部位が不明な場合のデフォルト値、撮影部位に応じて胸部用のデフォルト値、腰椎用のデフォルト値、四肢用のデフォルト値が登録されている。
【００３５】
電圧差テーブル８４は、図１１に示すように、撮影部位が不明な場合の電圧差、撮影部位に応じて胸部用の電圧差、腰椎用の電圧差、四肢用の電圧差が登録されている。
【００３６】
優先度テーブル８６は、図１２に示すように、実績値として２つ以上の実績値が挙げられた場合に、どれを選択するかを示す情報が登録されており、優先度の高い順から、例えば医師、技師、患者、放射線源、放射線検出器となっている。
【００３７】
ここで、管電圧算出部７２での処理、特に、医師（読影医）、技師、患者、放射線源、放射線検出器の指定の様々な態様に応じた、通常撮影のための第２管電圧Ｖ２と、エネサブ撮影のための第１管電圧Ｖ１の算出処理を説明する。
【００３８】
先ず、患者、放射線源１４及び放射線検出器１８の指定は、予めコンソール３０に登録された患者情報や撮影条件を参照して行われる。技師の指定は、例えば予めルーチンとして決まっていれば撮影条件を参照して行われるが、臨時の撮影等であれば、技師自身あるいはオペレータが入力装置２８、ＲＦＩＤ、バーコードリーダー等を通じて指定する。医師についても予めルーチンとして決まっていれば撮影条件を参照して行われるが、臨時の撮影等であれば、医師自身あるいはオペレータが入力装置、ＲＦＩＤ、バーコードリーダー等を通じて指定する。もちろん、放射線源１４及び放射線検出器１８についても、急遽変更せざるを得ない事態等が生じたときは、技師あるいはオペレータが、入力装置、ＲＦＩＤ、バーコードリーダー等を通じて指定する。
【００３９】
これらの指定においては、例えばコンソール３０に接続されたモニタ２４に指定画面を表示することによって行われる。通常は、図１３に示すように、コンソール３０に予め登録されている患者情報及び撮影条件に基づいて、必要な全ての項目（識別コード（ＩＤ））が指定されることになるが、上述したように、臨時の撮影や急遽変更せざるをえない事態が生じて未指定、あるいは指定変更がなされた場合は、図１４に示すように、未指定の項目及び指定変更の項目に例えば「＊」が表示され、さらに指定を促すメッセージが表示される。
【００４０】
そして、通常は、図１３に示すように、全ての項目が指定されていることから、全ての実績値テーブル８０（８０Ａ〜８０Ｄ）を参照することになるが、処理時間が長くなることから、本実施の形態では、以下の処理を行う。
【００４１】
［通常処理］
先ず、優先度テーブル８６を参照し、最初にどの実績値テーブルを参照するかを決定する。この例では、「医師」が最優先であることから、医師別実績値テーブル８０Ｄを参照する。このとき、既に登録されている撮影部位、放射線源１４の情報（識別コード）と放射線検出器１８の情報（識別コード）から該当する実績値を読み出す。
【００４２】
もちろん、指定された医師が新しい放射線検出器１８や新設された放射線源１４を使用する場合もある。この場合は、放射線源１４の識別コードや放射線検出器１８の識別コードは医師別実績値テーブル８０Ｄに登録されていないことから、以下のような処理を行う。
【００４３】
［例外処理１］
先ず、管別実績値テーブル８０Ａを参照し、放射線源１４の識別コードと放射線検出器１８の識別コードから該当する実績値を読み出す。
【００４４】
［例外処理２］
管別実績値テーブル８０Ａに今回使用する放射線検出器１８の識別コードが登録されていなければ、放射線源１４の識別コードから該当するレコードを抽出し、そのレコードの中から最も頻度の高い（回数の多い）実績値を読み出す。
【００４５】
［例外処理３］
管別実績値テーブル８０Ａに今回使用する放射線源１４の識別コードが登録されていなければ、デフォルトテーブル８２から該当する撮影部位のデフォルト値を実績値として読み出す。
【００４６】
その後、上述のようにして読み出した実績値を通常撮影用の第２管電圧Ｖ２としてデータメモリ７０に登録する。
【００４７】
その後、電圧差テーブル８４から今回の撮影部位に対応する電圧差を読み出し、さらに、登録した通常撮影用の第２管電圧Ｖ２から電圧差を差し引いてエネサブ撮影の第１管電圧Ｖ１を算出する。算出したエネサブ撮影用の第１管電圧Ｖ１をデータメモリ７０に登録する。
【００４８】
そして、データメモリ７０に登録された通常撮影用の第２管電圧Ｖ２とエネサブ撮影用の第１管電圧Ｖ１とが、図１３に示すように、モニタ２４に表示され、併せて確認ボタン８８が表示される。医師、技師又はオペレータが確認ボタン８８を操作（ポインタを確認ボタン８８の位置に合わせて例えば左クリックする等の操作）をすることで、第１管電圧Ｖ１及び第２管電圧Ｖ２が確定することとなる。
【００４９】
一方、上述の例で、「技師」に関する情報の指定までがなされ、「医師」に関する情報の指定がなかった場合は、優先度テーブル８６上、次に優先度の高い「技師」の情報に基づいて上述した［通常処理］と同様の処理を行う。すなわち、技師別実績値テーブル８０Ｃを参照し、既に登録されている放射線源１４の情報（識別コード）と放射線検出器１８の情報（識別コード）から該当する実績値を読み出す。もちろん、必要があれば、上述した［例外処理１］〜［例外処理３］と同様の処理も行われる。
【００５０】
その後、上述と同様にして、読み出した実績値を通常撮影用の第２管電圧Ｖ２としてデータメモリ７０に登録し、さらに、電圧差テーブル８４から今回の撮影部位に対応する電圧差を読み出し、登録した通常撮影用の第２管電圧Ｖ２から電圧差を差し引いてエネサブ撮影用の第１管電圧Ｖ１を算出してデータメモリ７０に登録する。その後、データメモリ７０に登録された通常撮影用の第２管電圧Ｖ２とエネサブ撮影用の第１管電圧Ｖ１とが、図１４に示すように、モニタ２４に表示されるが、優先度の最も高い情報が指定されていないことから、医師に関する情報の指定があるまで、表示されている管電圧の近傍に、指定待ちを示す例えば「＊」マークが表示され、例えば「医師のＩＤを入力して下さい」等の指定を促すメッセージが表示される。
【００５１】
その後、医師に関する情報が指定されることで、上述した［通常処理］又は［例外処理１］〜［例外処理３］が再度行われることによって、例えば図１３に示すように、新たな第１管電圧Ｖ１及び第２管電圧Ｖ２が算出されてモニタ２４に表示され、併せて、指定待ちを示す「＊」マークが消去されると共に、確認ボタン８８が表示される。医師、技師又はオペレータが確認ボタン８８を操作をすることで、第１管電圧Ｖ１及び第２管電圧Ｖ２が確定することとなる。
【００５２】
第１管電圧Ｖ１及び第２管電圧Ｖ２が確定すると、管電圧出力部７４は、データメモリに登録されている第１管電圧Ｖ１と第２管電圧Ｖ２を放射線源制御部１７に出力する。
【００５３】
本実施の形態に係る放射線撮影システム１０は、基本的には以上のように構成されるものであり、次にその動作について説明する。
【００５４】
先ず、撮影対象である患者１２（被写体）の患者情報は、撮影に先立ち、コンソール３０に予め登録される。撮影部位や撮影方法が予め決まっている場合には、これらの撮影条件も予め登録しておく。この登録によって、自動的に、使用する放射線源１４や放射線検出器１８、並びに従事する技師、医師が指定され、その指定内容は、例えば図１３に示すように、コンソール３０に接続されたモニタ２４に、指定画面として表示される。もちろん、自動的に指定された内容を変更したり、指定されていない項目を新たに指定する場合は、医師、技師あるいはオペレータが、入力装置２８、ＲＦＩＤ、バーコードリーダー等を通じて指定する。
【００５５】
使用する放射線源１４や放射線検出器１８、並びに従事する技師、医師に関する情報が全て指定されると、上述した［通常処理］あるいは［例外処理１］〜［例外処理３］によって、該当する実績値テーブル８０から実績値が読み出され、通常撮影用の第２管電圧Ｖ２としてデータメモリ７０に登録される。その後、上述した処理に従って電圧差が差し引かれてエネサブ撮影の第１管電圧Ｖ１が算出されてデータメモリ７０に登録され、これら第１管電圧Ｖ１及び第２管電圧Ｖ２とがモニタ２４に表示される。医師に関する情報が指定されていなければ、その指定が行われることによって、新たに通常撮影用の第２管電圧Ｖ２とエネサブ撮影用の第１管電圧Ｖ１が算出されてデータメモリ７０に登録されると共に、これら第１管電圧Ｖ１及び第２管電圧Ｖ２がモニタ２４に表示される。
【００５６】
医師、技師又はオペレータは、モニタ２４に表示されている確認ボタン８８を操作をすることで、各管電圧Ｖ１及びＶ２が確定し、その情報が放射線源制御部１７に転送（送信）される。
【００５７】
その後、手術室、検診又は病院内での回診等において、放射線画像情報の撮影を行う場合、医師又は放射線技師は、例えば、患者１２とベッドとの間の所定位置に照射面を放射線源１４側とした状態で放射線検出装置２０を設置する。
【００５８】
次に、放射線源１４を放射線検出装置２０に対向する位置に適宜移動させた後、医師又は放射線技師は、放射線源１４の撮影スイッチを操作して撮影を行う。
【００５９】
このとき、エネサブ撮影用の第１管電圧Ｖ１及び管電流で放射線源１４を制御して第１放射線Ｘａを被写体１２に照射することで、１ショット目の撮影（エネサブ撮影）を行う。
【００６０】
被写体１２を透過した第１放射線Ｘａは、放射線検出器１８のセンサ基板３８を構成する各画素５０の光電変換層５１によって電気信号に変換され、蓄積容量５３に電荷として蓄積される。次いで、各蓄積容量５３に蓄積された被写体１２の１ショット目の放射線画像情報Ｓ1である電荷情報は、タイミング制御回路４８からゲート線駆動回路４４及び信号読出回路４６に供給されるタイミング制御信号に従い、センサ基板３８から読み出される。
【００６１】
すなわち、ゲート線駆動回路４４は、タイミング制御回路４８からのタイミング制御信号に従ってゲート線５４の１つを選択し、選択されたゲート線５４に接続されている各ＴＦＴ５２のベースに駆動信号を供給する。一方、信号読出回路４６は、タイミング制御回路４８からのタイミング制御信号に従い、電荷検出回路５７に接続されている信号線５６を行方向に順次切り替えながら選択する。選択されたゲート線５４及び信号線５６に対応する画素５０の蓄積容量５３に蓄積された放射線画像情報Ｓ1に係る電荷情報は、画像信号として画像処理部２２に供給される。行方向に配列された各画素５０から画像信号が読み出された後、ゲート線駆動回路４４は、列方向の次のゲート線５４を選択して駆動信号を供給し、信号読出回路４６は、選択されたゲート線５４に接続されたＴＦＴ５２から同様にして画像信号を読み出す。以上の動作を繰り返すことにより、センサ基板３８に蓄積された二次元の第１放射線画像情報Ｓ1が読み出され、画像処理部２２に供給される。
【００６２】
次いで、放射線源制御部１７は、通常撮影用の第２管電圧Ｖ２及び管電流で放射線源１４を制御して第２放射線Ｘｂを被写体１２に照射することで、２ショット目の撮影（通常撮影）を行う。なお、２ショット目の撮影は、予め設定されている撮影条件に基づき、１ショット目の撮影に続き直ちに行われるため、１ショット目と２ショット目との撮影間において被写体１２が動くことによるモーションアーチファクトが生じることはない。
【００６３】
放射線検出器１８によって検出された２ショット目の第２放射線画像情報Ｓ2は、１ショット目の第１放射線画像情報Ｓ1と同様にして読み出され、画像処理部２２に供給される。
【００６４】
画像処理部２２は、供給された第１放射線画像情報Ｓ1及び第２放射線画像情報Ｓ2を画像メモリ６０に記録する。
【００６５】
その後、通常画像表示部６２は、高エネルギーの第１放射線Ｘｂによる第２放射線画像情報Ｓ2を通常撮影の放射線画像（通常画像）としてモニタ２４に表示する。一方、加重減算処理部６４は、第１放射線画像情報Ｓ1と第２放射線画像情報Ｓ2との加重減算処理を行ってエネサブ撮影の放射線画像（エネサブ画像Ｓｄ）を取得する。エネサブ画像表示部６６は、得られたエネサブ画像Ｓｄをモニタ２４に表示する。
【００６６】
このように、本実施の形態に係る放射線撮影システム１０においては、患者情報及び撮影条件から実績値に基づいて自動的にエネサブ撮影用の第１管電圧Ｖ１が算出されることから、エネサブ撮影用の第１管電圧Ｖ１を試行錯誤して求める必要がなく、エネサブ撮影にかかる時間の大幅な短縮を図ることができる。しかも、通常撮影での実績値に基づいてエネサブ撮影用の第１管電圧Ｖ１を算出していることから、通常撮影で得られた放射線画像とエネサブ撮影で得られた放射線画像の画質を同レベルまで高めることができ、必要な医療情報を得ることができる。これは、読影や診断を行いより易くすることができることにつながる。
【００６７】
上述の例では、管別実績値テーブル８０Ａ、患者別実績値テーブル８０Ｂ、技師別実績値テーブル８０Ｃ及び医師別実績値テーブル８０Ｄの全てを参照する例を示したが、その他、いずれか１つの実績値テーブルを参照したり、２つ以上の実績値テーブルを組み合わせて参照するようにしてもよい。
【００６８】
また、上述の例では、放射線検出器１８として、入射した放射線を光電変換層５１によって直接電気信号に変換する方式（直接変換方式）を用いたが、これに代えて、入射した放射線をシンチレータによって一旦可視光に変換した後、この可視光をアモルファスシリコン（ａ−Ｓｉ）等の固体検出素子を用いて電気信号に変換するようにした放射線検出器を用いてもよい（間接変換方式：特許第３４９４６８３号公報参照）。
【００６９】
さらに、光読出方式の放射線検出器を利用して放射線画像情報を取得することもできる。この光読出方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線画像情報の読み取り後は、消去光を放射線検出器に照射することで、残存する静電潜像である放射線画像情報を消去して再使用することができる（特開２０００−１０５２９７号公報参照）。
【００７０】
また、上述した放射線検出器１８では、ＴＦＴ５２を用いた例を示したが、その他、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴ５２で言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００７１】
また、上述の例では、被写体が人間である場合を例を示したが、産業用途の非破壊検査に適用してもよい。
【００７２】
なお、本発明に係る画像表示システム、記録媒体、プログラム及び画像表示方法は、上述の実施の形態に限らず、本発明の要旨を逸脱することなく、種々の構成を採り得ることはもちろんである。
【図面の簡単な説明】
【００７３】
【図１】本実施の形態に係る放射線撮影システムの構成を示すブロック図である。
【図２】放射線検出器の回路構成を示すブロック図である。
【図３】図３Ａは第１タイプの放射線検出装置に対して第１放射線（低エネルギー）を照射した状態を示す説明図であり、図３Ｂは第１タイプの放射線検出装置に対して第２放射線（高エネルギー）を照射した状態を示す説明図である。
【図４】画像処理部の構成を示す機能ブロック図である。
【図５】管電圧設定部の構成を示す機能ブロック図である。
【図６】管別実績値テーブルの内訳を示す説明図である。
【図７】患者別実績値テーブルの内訳を示す説明図である。
【図８】技師別実績値テーブルの内訳を示す説明図である。
【図９】医師別実績値テーブルの内訳を示す説明図である。
【図１０】デフォルトテーブルの内訳を示す説明図である。
【図１１】電圧差テーブルの内訳を示す説明図である。
【図１２】優先度テーブルの内訳を示す説明図である。
【図１３】全ての項目（識別コード）が指定されて、第１管電圧及び第２管電圧が表示された状態を示す説明図である。
【図１４】医師に関する情報が未指定の状態の表示例を示す説明図である。
【符号の説明】
【００７４】
１０…放射線撮影システム
１２…被写体（患者）
１４…放射線源
１６…管電圧設定部
１７…放射線源制御部
１８…放射線検出器
２０…放射線検出装置
２２…画像処理部
２４…モニタ
２８…入力装置
３０…コンソール
７０…データメモリ
７２…管電圧算出部
７４…管電圧出力部
８０…実績値テーブル
８０Ａ…管別実績値テーブル
８０Ｂ…患者別実績値テーブル
８０Ｃ…技師別実績値テーブル
８０Ｄ…医師別実績値テーブル
８２…デフォルトテーブル
８４…電圧差テーブル
８６…優先度テーブル
【図１】
2010081977.tif 000003
【図２】
2010081977.tif 000004
【図３】
2010081977.tif 000005
【図４】
2010081977.tif 000006
【図５】
2010081977.tif 000007
【図６】
2010081977.tif 000008
【図７】
2010081977.tif 000009
【図８】
2010081977.tif 000010
【図９】
2010081977.tif 000011
【図１０】
2010081977.tif 000012
【図１１】
2010081977.tif 000013
【図１２】
2010081977.tif 000014
【図１３】
2010081977.tif 000015
【図１４】
2010081977.tif 000016